(57)【要約】【課題】フライングハンマー工法及び三点式杭打ち機を用いたハンマー工法の双方に適用することができる、油圧ハンマーによる杭打ち時の防音カバー装置を提供する。【解決手段】油圧ハンマーによって鋼管杭を打撃し、地盤に打ち込む際に発生する騒音を防止するための防音カバー装置であって、打込み時における鋼管杭の地上部分と、油圧ハンマーとの双方を覆う長尺で断面コ字形の形状を有するカバー本体１０と、カバー本体１０の長手方向開口部１１を形成する両端部に長手方向に沿って設けられた１対のガイド部材１７，１７と、１対のガイド部材１７，１７に案内されて取り付けられ、カバー本体１０の長手方向開口部１１を開閉するための長手方向シャッタープレート１２と、カバー本体１０の頂部に基端部が回動自在に取り付けられ、頂部を開閉するための頂部シャッタープレート１３とを備えてなる。【選択図】図１
0003219705.tif 000002
【実用新案登録請求の範囲】
【請求項１】
油圧ハンマーによって鋼管杭を打撃し、地盤に打ち込む際に発生する騒音を防止するための防音カバー装置であって、
打込み時における前記鋼管杭の地上部分と、前記油圧ハンマーとの双方を覆う長尺で断面コ字形の形状を有するカバー本体と、
前記カバー本体の長手方向開口部を形成する両端部に長手方向に沿って設けられた１対のガイド部材と、
前記１対のガイド部材に案内されて取り付けられ、前記カバー本体の長手方向開口部を開閉するための長手方向シャッタープレートと、
前記カバー本体の頂部に基端部が回動自在に取り付けられ、頂部を開閉するための頂部シャッタープレートと
を備えてなることを特徴とする油圧ハンマーによる杭打ち時の防音カバー装置。
【請求項２】
前記頂部シャッタープレートには、前記油圧ハンマーを吊持するワイヤーロープを通すためのスリットが形成されていることを特徴とする請求項１記載の油圧ハンマーによる杭打ち時の防音カバー装置。
【請求項３】
前記カバー本体及び前記長手方向シャッタープレートは、いずれも長手方向に複数に分割されていることを特徴とする請求項１又は２記載の油圧ハンマーによる杭打ち時の防音カバー装置。
【考案の詳細な説明】
【技術分野】
【０００１】
この考案は、油圧ハンマーによる杭打ち時の防音カバー装置に関する。
【背景技術】
【０００２】
鋼管杭を打設する工法として、油圧ハンマーにより杭を打撃して地盤に打ち込む工法が知られている。油圧ハンマーによる打撃工法には、クローラクレーンをベースマシンとして油圧ハンマーをワイヤーロープによって吊持するフライングハンマー工法と、三点式杭打ち機をベースマシンとして、そのリーダーに油圧ハンマーを搭載する工法がある。
【０００３】
フライングハンマー工法及び三点式杭打ち機を用いたハンマー工法はいずれも、油圧ハンマーによって鋼管杭を打撃することから、大きな騒音が発生する。従来、このような油圧ハンマーによる騒音が周辺に伝わるのを防止するための防音装置が提案され、例えば特許文献１記載のものがある。
【０００４】
しかしながら、同文献１記載の防音装置は、特にフライングハンマー工法用に開発されたものであり、三点式杭打ち機を用いたハンマー工法には適用できない。
【先行技術文献】
【特許文献】
【０００５】
【特許文献１】特開２０１０−１８０６８９号公報
【考案の概要】
【考案が解決しようとする課題】
【０００６】
この考案は上記のような技術的背景に基づいてなされたものであって、次の目的を達成するものである。
この考案の目的は、フライングハンマー工法及び三点式杭打ち機を用いたハンマー工法の双方に適用することができる、油圧ハンマーによる杭打ち時の防音カバー装置を提供することにある。
【課題を解決するための手段】
【０００７】
この考案は上記課題を達成するために、次のような手段を採用している。
すなわち、この考案は、油圧ハンマーによって鋼管杭を打撃し、地盤に打ち込む際に発生する騒音を防止するための防音カバー装置であって、
打込み時における前記鋼管杭の地上部分と、前記油圧ハンマーとの双方を覆う長尺で断面コ字形の形状を有するカバー本体と、
前記カバー本体の長手方向開口部を形成する両端部に長手方向に沿って設けられた１対のガイド部材と、
前記１対のガイド部材に案内されて取り付けられ、前記カバー本体の長手方向開口部を開閉するための長手方向シャッタープレートと、
前記カバー本体の頂部に基端部が回動自在に取り付けられ、頂部を開閉するための頂部シャッタープレートと
を備えてなることを特徴とする油圧ハンマーによる杭打ち時の防音カバー装置にある。
【０００８】
より具体的には、前記頂部シャッタープレートには、前記油圧ハンマーを吊持するワイヤーロープを通すためのスリットが形成されている構成を採用することができる。
【０００９】
また、前記カバー本体及び前記長手方向シャッタープレートは、いずれも長手方向に複数に分割されている構成を採用することができる。
【考案の効果】
【００１０】
この考案によれば、フライングハンマー工法及び三点式杭打ち機を用いたハンマー工法の双方に適用することができて、油圧ハンマーによる打撃時の騒音を防止することができる。
【図面の簡単な説明】
【００１１】
【図１】この考案の実施形態を示し（ａ）は正面図、（ｂ）は右側面図である。
【図２】図１（ａ）のＡ−Ａ線矢視による平面図である。
【図３】図１（ａ）のＢ−Ｂ線矢視による断面図である。
【図４】図１（ｂ）のＣ−Ｃ線矢視による断面図である。
【図５】実施形態のものの使用態様を示す正面図である。
【図６】別の使用態様を示す側面図である。
【考案を実施するための形態】
【００１２】
この考案の実施形態を図面を参照しながら以下に説明する。図１はこの考案による防音カバー装置の実施形態を示し（ａ）は正面図、（ｂ）は右側面図、図２は図１（ａ）のＡ−Ａ線矢視による平面図、図３は図１（ａ）のＢ−Ｂ線矢視による断面図、図４は図１（ｂ）のＣ−Ｃ線矢視による断面図である。
【００１３】
防音カバー装置は、長尺で断面コ字形の形状を有するカバー本体１０と、カバー本体１０の長手方向開口部１１を開閉する長手方向シャッタープレート１２と、カバー本体１０の頂部に取り付けられて、頂部開口部を開閉する頂部シャッタープレート１３とを主たる構成部材として備える。これらカバー本体１０、長手方向シャッタープレート１２及び頂部シャッタープレート１３はいずれも鋼材で作られている。
【００１４】
カバー本体１０は、実施形態では分割体１０ａ，１０ｂ，１０ｃで示すように、杭施工現場までの運搬の便宜のために、長手方向に複数（実施形態では３分割）に分割されている。分割体１０ａ，１０ｂ，１０ｃの長さは、例えばそれぞれ６．８ｍ、４．５ｍ及び４．５ｍである。したがって、カバー本体１０の全体長さは、おおよそ１６ｍ程度のものとなる。また、カバー本体１０は内部に鋼管杭及び油圧ハンマーを収容できる大きさの水平断面を有し、例えば２．９ｍ×２．５ｍの寸法が採用されている。
【００１５】
カバー本体１０を構成する分割体１０ａ，１０ｂ，１０ｃは、分割体１０ｃの上端部に分割体１０ｂの下端部が、分割体１０ｂの上端部に分割体１０ａの下端部がそれぞれ嵌合され、ボルト１４により分割体どうしが固定される（図４に分割体１０ｂ，１０ｃの嵌合固定状態を示す）。
【００１６】
各分割体１０ａ，１０ｂ，１０ｃの内面には、複数の補強バー１５，１６が長手方向及びそれと直角方向に設けられている（図３に分割体１０ｂの内面を示す）。この補強バー１５，１６によって区画される凹部には吸音材３０が設けられている。また各分割体１０ａ，１０ｂ，１０ｃの長手方向開口部１１を形成する両端部には、１対のガイド部材１７，１７が設けられている。このガイド部材１７，１７に形成された溝に案内されて、長手方向シャッタープレート１２が昇降自在に取り付けられる。長手方向シャッタープレート１２も、カバー本体１０と同様に運搬の便宜のために、長手方向に複数（図示の例では６分割）に分割された分割体１２ａ，１２ａ・・・で構成されている。
【００１７】
頂部シャッタープレート１３は、その端部がカバー本体１０（分割体１０ａ）の長手方向開口部１１と反対側の端部において蝶番１８を介して回動可能に取り付けられ、図１（ｂ）に鎖線で示すように、カバー本体１０の頂部を開閉することができる。頂部シャッタープレート１３は、カバー本体１０（分割体１０ａ）の長手方向開口部１１側の部分１３ａと蝶番１８側の部分１３ｂの２つの部分に分割され、部分１３ａ，１３ｂは蝶番１９で連結されている。したがって、頂部シャッタープレート１３を開くと、部分１３ａ，１３ｂが重なり合うようにしてプレート１３が折り畳まれる。この頂部シャッタープレート１３の開閉は、該シャッタープレート１３とカバー本体１０との間に設置された図示しない油圧シリンダによってなされる。
【００１８】
頂部シャッタープレート１３の部分１３ａには、カバー本体１０の長手方向開口部１１側から蝶番１９側に向けて延びるスリット２０が形成されている。
【００１９】
次に上記防音カバー装置の使用態様について、図５を参照して説明する。この使用態様は、フライングハンマー工法による鋼管杭Ｐの打設時に防音カバー装置を使用する例である。フライングハンマー工法では、鋼管杭Ｐの杭頭にこれを打撃する油圧ハンマーＨが連結される。油圧ハンマーＨは、図示しないクローラクレーンのジブから繰り出されるワイヤーロープＲによって吊持される。
【００２０】
防音カバー装置は、次のようにして設置される。カバー本体１０は杭施工現場で分割体１０ａ，１０ｂ，１０ｃを連結して組み立てられる。組み立てられたカバー本体１０は、図示しないクレーンにより吊り下げられ、鋼管杭Ｐの地上部分及び油圧ハンマーＨがカバー本体１０の内部に長手方向開口部１１を通して取り込まれる。なお、このとき、頂部シャッタープレート１３は開いた状態にある。
【００２１】
鋼管杭Ｐ及び油圧ハンマーＨをカバー本体１０で覆った後、カバー本体１０が接地され、長手方向シャッタープレート１２を構成する複数の分割体１２ａがガイド部材１７，１７間に順次取り付けられ下降される。これにより、カバー本体１０の長手方向開口部１１が閉鎖される。また、頂部シャッタープレート１３が閉じられるが、その際油圧ハンマーＨを吊持するワイヤーロープＲは頂部シャッタープレート１３のスリット２０に通される。なお、長手方向シャッタープレート１２の分割体１２ａの取付けは、図示しないクレーンに吊り下げた状態でなされる。
【００２２】
以上により、鋼管杭Ｐの地上部分及び油圧ハンマーＨが、長手方向シャッタープレート１２及び頂部シャッタープレート１３によって完全閉鎖されたカバー本体１０によって覆われる。これにより、油圧ハンマーＨによる鋼管杭Ｐの打撃音が閉じ込められ、騒音の発生が防止される。
【００２３】
図６は、上記防音カバー装置の別の使用態様を示している。この使用態様は、三点式杭打ち機を用いたハンマー工法による鋼管杭Ｐの打設時に防音カバー装置を使用する例である。三点式杭打ち機２１は、ベースマシン２２の先端にリーダー２３を備える。三点式杭打ち機２１を用いたハンマー工法では、ワイヤーロープＲに吊持された油圧ハンマーＨがリーダー２３に昇降自在に搭載され、油圧ハンマーＨは鋼管杭Ｐの杭頭に連結される。
【００２４】
この使用態様の場合も、カバー本体１０は杭施工現場で分割体を連結して組み立てられるが、長手方向シャッタープレート１２は用いられない。また、頂部シャッタープレート１３も取り外されるか、又は図１（ｂ）のように開いた状態とされる。組み立てられたカバー本体１０は、図示しないクレーンにより吊り下げられ、鋼管杭Ｐの地上部分及び油圧ハンマーＨがカバー本体１０の内部に長手方向開口部１１を通して取り込まれる。この状態で長手方向開口部１１には三点式杭打ち機２１のリーダー２３が位置し、リーダー２３によって開口部１１が部分的に閉鎖されている。
【００２５】
この使用態様では、カバー本体１０の長手方向開口部１１が完全に閉鎖されることにはならず、また頂部開口部も開いているので、油圧ハンマーＨによる鋼管杭Ｐの打撃音が閉じ込められることにはならないが、騒音は緩和される。以上のように、この考案の防音カバー装置は、フライングハンマー工法及び三点式杭打ち機を用いたハンマー工法の双方に適用することができる。
【００２６】
上記実施形態は例示にすぎず、この考案は種々の態様を採ることができる。例えば、上記実施形態ではカバー本体や長手方向シャッタープレートを複数に分割したが、移送・運搬等の問題が生じなければ、分割しなくともよい。また、分割するにあたってもその数は適宜であってよい。
【符号の説明】
【００２７】
１０：カバー本体
１１：長手方向開口部
１２：長手方向シャッタープレート
１３：頂部シャッタープレート
１７：ガイド部材
１８：蝶番
１９：蝶番
２０：スリット
２１：三点式杭打ち機
２３：リーダー
Ｈ：油圧ハンマー
Ｐ：鋼管杭
Ｒ：ワイヤーロープ
【図１】
0003219705.tif 000003
【図２】
0003219705.tif 000004
【図３】
0003219705.tif 000005
【図４】
0003219705.tif 000006
【図５】
0003219705.tif 000007
【図６】
0003219705.tif 000008